(57)【要約】    【課題】  外壁補修工事用安全シュート又は養生シートを迅速かつ容易に取り付ける取付け具を提供する。    【解決手段】  本体（１２）と、水平方向に延びた水平部（１４ａ）、水平部の中央において垂直方向上方に延びた垂直部（１４ｂ）、水平部の中央において水平部に対して直交方向に延びた第１軸部（１４ｃ）、及び第１軸部に設けられた雄ねじ（１４ｄ）を有する第１部材（１４）と、平面視で弧状に形作られた弧状部（１６ａ）、弧状部の中央において弧状部に対して直交方向に延びた第２軸部（１６ｂ）、及び第２軸部に設けられ、第１軸部の雄ねじと反対方向の雄ねじ（１６ｃ）を有する第２部材（１６）とを備え、本体の一端の開口に第１部材の第１軸部がねじ込まれ、他端の開口に第２部材の第２軸部がねじ込まれている。【選択図】  図１
2006316475.tif 000002
【特許請求の範囲】
【請求項１】
外壁補修工事用安全シュート又は養生シートを外壁と足場との間の所定箇所に取り付けるための取付け具であって、
両端のほぼ中央に開口がそれぞれ設けられた円柱形又は多角柱形の本体と、
水平方向に延びた水平部、前記水平部のほぼ中央において垂直方向上方に延びた垂直部、前記水平部のほぼ中央において前記水平部に対して直交する方向に延びた第１軸部、及び前記第１軸部に設けられた雄ねじを有する第１部材と、
平面視で弧状に形作られた弧状部、前記弧状部のほぼ中央において前記弧状部に対して直交する方向に延びた第２軸部、及び前記第２軸部に設けられ、前記第１軸部の前記雄ねじと反対方向の雄ねじを有する第２部材とを備え、
前記本体の一端の開口に、前記第１軸部の雄ねじと噛み合う雌ねじが設けられ、前記本体の他端の開口に、前記第２軸部の雄ねじと噛み合う雌ねじが設けられており、
前記一端の前記開口に、前記第１軸部がねじ込まれ、前記他端の前記開口に、前記第２軸部がねじ込まれており、
前記本体を一方の方向に回転させると、前記第１部材と前記第２部材との間の距離が減少し、前記本体を他方の方向に回転させると、前記第１部材と前記第２部材との間の距離が増加するように構成されていることを特徴とする取付け具。
【請求項２】
前記第１部材の前記水平部の前記第１軸部が設けられている側と反対の側が、平面視で凹面を形成するように形作られていることを特徴とする請求項１に記載の取付け具。
【発明の詳細な説明】
【技術分野】
【０００１】
本発明は一般に、シュート又は養生シートの取付け具に関する。より詳細には、本発明は、外壁補修工事に用いられるシュート又は養生シートを迅速かつ容易に取り付けるための外壁補修工事用安全シュート又は養生シートの取付け具に関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全シュート及び外壁補修方法を提案した（特許文献１及び特許文献２参照）。
【０００４】
【特許文献１】特許第３４４６９５８号公報
【特許文献２】特願２００４−３２８８１６号
【発明の開示】
【発明が解決しようとする課題】
【０００５】
本発明は、上述の特許文献１及び２に記載されている外壁補修工事用安全シュートを迅速かつ容易に取り付けるための取付け具を提供することを目的としている。
【課題を解決するための手段】
【０００６】
本願請求項１に記載の外壁補修工事用安全シュート又は養生シートの取付け具は、両端のほぼ中央に開口がそれぞれ設けられた円柱形又は多角柱形の本体と、水平方向に延びた水平部、前記水平部のほぼ中央において垂直方向上方に延びた垂直部、前記水平部のほぼ中央において前記水平部に対して直交する方向に延びた第１軸部、及び前記第１軸部に設けられた雄ねじを有する第１部材と、平面視で弧状に形作られた弧状部、前記弧状部のほぼ中央において前記弧状部に対して直交する方向に延びた第２軸部、及び前記第２軸部に設けられ、前記第１軸部の前記雄ねじと反対方向の雄ねじを有する第２部材とを備え、前記本体の一端の開口に、前記第１軸部の雄ねじと噛み合う雌ねじが設けられ、前記本体の他端の開口に、前記第２軸部の雄ねじと噛み合う雌ねじが設けられており、前記一端の前記開口に、前記第１軸部がねじ込まれ、前記他端の前記開口に、前記第２軸部がねじ込まれており、前記本体を一方の方向に回転させると、前記第１部材と前記第２部材との間の距離が減少し、前記本体を他方の方向に回転させると、前記第１部材と前記第２部材との間の距離が増加するように構成されていることを特徴とするものである。
【０００７】
本願請求項２に記載の外壁補修工事用安全シュート又は養生シートの取付け具は、前記請求項１の取付け具において、前記第１部材の前記水平部の前記第１軸部が設けられている側と反対の側が、平面視で凹面を形成するように形作られていることを特徴とするものである。
【発明の効果】
【０００８】
本発明によれば、上述の特許文献１及び２に記載されている外壁補修工事用安全シュート又は養生シートを、外壁と足場との間の所定箇所に迅速かつ容易に取り付けることができる。また、シュート又は養生シートの取り外しも容易である。
【発明を実施するための最良の形態】
【０００９】
次に、図面を参照して、本発明の好ましい実施の形態に係る外壁補修工事用安全シュート又は養生シートの取付け具について詳細に説明する。図１は、本発明の好ましい実施の形態に係る外壁補修工事用安全シュート又は養生シートの取付け具の斜視図、図２は、図１のシュート又は養生シートの取付け具の分解斜視図である。図１において全体として参照符号１０で示される本発明の好ましい実施の形態に係る外壁補修工事用安全シュート又は養生シートの取付け具は、円柱形の本体１２を備えている。本体１２の両端の中央には、開口１２ａ、１２ｂがそれぞれ設けられている。本体１２は、合成樹脂材料や木などの適当な材料で形成されている。
【００１０】
外壁補修工事用安全シュート又は養生シートの取付け具１０は又、第１部材１４を備えている。第１部材１４は、水平方向に延びた水平部１４ａと、水平部１４ａのほぼ中央において垂直方向上方に延びた垂直部１４ｂと、水平部１４ａのほぼ中央において水平部１４ａに対して直交する方向に延びた軸部１４ｃとを有している。
【００１１】
水平部１４ａ及び垂直部１４ｂは、図１に示されるように、逆Ｔ字形の形状を有しており、鋼板で形成されている。また、軸部１４ｃには、雄ねじ１４ｄが設けられている。軸部１４ｃは、鋼棒で形成されており、水平部１４ａに溶接等によって固定されている。
【００１２】
外壁補修工事用安全シュート又は養生シートの取付け具１０は更に、第２部材１６を備えている。第２部材１６は、平面視で弧状に形作られた弧状部１６ａと、弧状部１６ａのほぼ中央において弧状部１６ａに対して直交する方向に延びた軸部１６ｂとを有している。
【００１３】
弧状部１６ａは、鋼板で形成されている。また、軸部１６ｂには、軸部１４ｃの雄ねじ１４ｄと反対方向の雄ねじ１６ｃが設けられている。軸部１６ｂは、鋼棒で形成されており、弧状部１６ａに溶接等によって固定されている。
【００１４】
本体１２の一方の開口１２ａには、第１部材１４の軸部１４ｃの雄ねじ１４ｄと噛み合う雌ねじが設けられており、本体１２の他方の開口１２ｂには、第２部材１６の軸部１６ｂの雄ねじ１６ｃと噛み合う雌ねじが設けられている。これにより、本体１２を一方の方向に回転させると、第１部材１４と第２部材１６との間の距離が減少し（図４（ａ）参照）、本体１２を他方の方向に回転させると、第１部材１４と第２部材１６との間の距離が増加する（図４（ｂ）参照）ようになっている。
【００１５】
図５は、外壁補修工事用安全シュート又は養生シートの取付け具１０の第１部材１４及び本体１２の変形例を示したものである。すなわち、垂直部が垂直方向上方及び斜め上方に延びた３つの部分から形成されている部材１４′を第１部材１４の代わりに用いてもよいし（図５（ａ）参照）、垂直部が斜め上方に延びた２つの部分から形成されている部材１４′′を第１部材１４の代わりに用いてもよい（図５（ｂ）参照）。また、四角柱に形成された本体１２′を本体１２の代わりに用いてもよいし（図５（ｃ）参照）、六角柱に形成された本体１２′′を本体１２の代わりに用いてもよい（図５（ｄ）参照）。或いは、四角柱、六角柱以外の多角柱に形成してもよい。
【００１６】
好ましくは、第１部材１４は、軸部１４ｃが設けられている側と反対の側（即ち、外壁に接する側）が平面視で凹面を形成するように形作られるのがよい。このようにすることにより、取付け具１０の使用時に、第１部材１４が外壁に密着する度合いを高めることができる。
【００１７】
次に、図７及び図８を参照して、以上のように構成された外壁補修工事用安全シュート又は養生シートの取付け具１０の使用について説明する。図７（ａ）及び図７（ｂ）は、取付け具１０によって上述の特許文献１の安全シュートが取付けられている状態を示した図、図７（ｃ）及び図７（ｄ）は、取付け具１０によって上述の特許文献２の安全シュートが取付けられている状態を示した図である。なお、本発明の取付け具１０を使用するに際して、シュートの長辺の縁部にリング状支持部を設置しておく。リング状支持部は、適当な織布又は不織布材料で形成されている。
【００１８】
まず、図８に最も良く示されるように、取付け具１０の第１部材１４の水平部１４ａの両端を安全シュートのリング状支持部に入れる。そして、第１部材１４を建築物の外壁に接触させた状態で、第２部材１６の弧状部１６ａを足場のパイプ柱に当てる。その際、安全シュートの縁部を弧状部１６ａとパイプ柱との間に挟み込んでおく。次いで、本体１２を回転させて、第１部材１４が外壁を押しつけ、第２部材１６がパイプ柱を押しつけるまで、第１部材１４と第２部材１６との間の距離を増加させる。これにより、安全シュートが所定箇所に確実に取付けられる。第１部材１４と第２部材１６との間の距離が外壁とパイプ柱との間の距離よりも僅かに小さくなるように予め調整しておけば、安全シュートの取付けを一層迅速に行うことができる。
【００１９】
なお、万が一、取付け具１０が外れる等の事態が発生することを考慮して、落下防止具によって取付け具１０と足場とを連結しておくのがよい。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
例えば、前記実施の形態においては、専ら外壁補修工事用安全シュートの取り付けに関連して説明されているが、本発明の取り付け具を、通常の養生シートの取り付けに使用してもよい。
【図面の簡単な説明】
【００２２】
【図１】本発明の好ましい実施の形態に係る外壁補修工事用安全シュート又は養生シートの取付け具の斜視図である。
【図２】図１の取付け具の分解斜視図である。
【図３】図３（ａ）は、本体から第１部材及び第２部材を取り外した状態における図１の取付け具の断面図であり、図３（ｂ）は、本体に第１部材及び第２部材をねじ込んだ状態における図１の取付け具の断面図である。
【図４】図１の取付け具の作動を示すための図である。
【図５】図５（ａ）及び図５（ｂ）は、第１部材の変形例を示した図であり、図５（ｃ）及び図５（ｄ）は、本体の変形例を示した図である。
【図６】第１部材の部分平面図である。
【図７】図１の取付け具の使用法を示した図である。
【図８】図７（ａ）の部分８の拡大図である。
【符号の説明】
【００２３】
１０  外壁補修工事用安全シュート又は養生シートの取付け具
１２  本体
１４  第１部材
１４ａ  水平部
１４ｂ  垂直部
１４ｃ  軸部
１６  第２部材
１６ａ  弧状部
１６ｂ  軸部
【図１】
2006316475.tif 000003
【図２】
2006316475.tif 000004
【図３】
2006316475.tif 000005
【図４】
2006316475.tif 000006
【図５】
2006316475.tif 000007
【図６】
2006316475.tif 000008
【図７】
2006316475.tif 000009
【図８】
2006316475.tif 000010